【事件の表示】
　特許第３４１０００８号「輪郭補償システム」の請求項１ないし６に係る特許に対する特許異議の申立てについて、次のとおり決定する。
【結　論】
　訂正を認める。
　特許第３４１０００８号の請求項１ないし６に係る特許を維持する。
【理　由】
１．手続の経緯 
　特許第３４１０００８号の請求項１ないし６に係る発明についての出願は、平成９年１２月４日に出願され、平成１５年３月２０日にその発明について特許権の設定登録がなされ、その後、その特許について、異議申立人溝呂木寛及び異議申立人金子和弘から特許異議の申立てがなされ、取消理由通知の指定期間内である平成１６年１０月１８日に訂正請求がなされたものである。
　
２．訂正の適否 
（１）訂正の内容 
　平成１６年１０月１８日付け訂正請求書によって特許権者が求めている訂正の内容は以下のとおりである。 
（ア）訂正事項ａ　
　特許請求の範囲の請求項１、２、３、４、５、及び６に係る記載
「【請求項１】　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　撮像モードを検出する撮像モード検出回路と、
　前記ズーム倍率検出回路，前記撮像モード検出回路の各出力のうちから選択した選択出力に基づいて、前記輪郭補償手段で前記撮像信号の所定の周波数帯域に対して輪郭補償処理を施すように制御する制御部とを備えたことを特徴とする輪郭補償装置。
【請求項２】　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　輪郭補償処理を施す周波数帯域のユーザによる選択を可能とするための補償周波数帯域選択回路と、
　前記ズーム倍率検出回路，前記補償周波数帯域選択回路の各出力のうちから選択した選択出力に基づいて、前記輪郭補償手段で前記撮像信号の所定の周波数帯域に対して輪郭補償処理を施すように制御する制御部とを備えたことを特徴とする輪郭補償装置。
【請求項３】　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　撮像モードを検出する撮像モード検出回路と、
　輪郭補償処理を施す周波数帯域のユーザによる選択を可能とするための補償周波数帯域選択回路と、
　前記ズーム倍率検出回路，前記撮像モード検出回路，前記補償周波数帯域選択回路の各出力のうちから選択した選択出力に基づいて、前記輪郭補償手段で前記撮像信号の所定の周波数帯域に対して輪郭補償処理を施すように制御する制御部とを備えたことを特徴とする輪郭補償装置。
【請求項４】　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　撮像モードを検出する撮像モード検出ステップと、
　前記ズーム倍率検出ステップ，前記撮像モード検出ステップの各出力のうちから選択した選択出力に基づいて、前記輪郭補償ステップで前記撮像信号の所定の周波数帯域に対して輪郭補償処理を施すように制御する制御ステップとからなることを特徴とする輪郭補償方法。
【請求項５】　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　輪郭補償処理を施す周波数帯域のユーザによる選択を可能とするための補償周波数帯域選択ステップと、
　前記ズーム倍率検出ステップ，前記補償周波数帯域選択ステップの各出力のうちから選択した選択出力に基づいて、前記輪郭補償ステップで前記撮像信号の所定の周波数帯域に対して輪郭補償処理を施すように制御する制御ステップとからなることを特徴とする輪郭補償方法。
【請求項６】　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　撮像モードを検出する撮像モード検出ステップと、
　輪郭補償処理を施す周波数帯域のユーザによる選択を可能とするための補償周波数帯域選択ステップと、
　前記ズーム倍率検出ステップ，前記撮像モード検出ステップ，前記補償周波数帯域選択ステップの各出力のうちから選択した選択出力に基づいて、前記輪郭補償ステップで前記撮像信号の所定の周波数帯域に対して輪郭補償処理を施すように制御する制御ステップとからなることを特徴とする輪郭補償方法。」
を、
「【請求項１】　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　撮像モードを検出する撮像モード検出回路と、
　前記
電子ズーム手段における
、
　
前記制御部は前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした
【請求項２】　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　
前記
　前記
電子ズーム手段における
、
　
前記制御部は前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした
【請求項３】　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　撮像モードを検出する撮像モード検出回路と、
　
前記
　前記
電子ズーム手段における
、
　
前記制御部は前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした
【請求項４】　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　撮像モードを検出する撮像モード検出ステップと、
　前記
電子ズームステップにおける
とを有し、
　
前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
【請求項５】　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　
前記
　前記
電子ズームステップにおける
とを有し、
　
前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
【請求項６】　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　撮像モードを検出する撮像モード検出ステップと、
　
前記
　前記
電子ズームステップにおける
とを有し、
　
前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
と訂正する（下線部が訂正箇所、以下同じ。）。
（イ）訂正事項ｂ
　明細書の段落番号【００１０】に記載された
「上述の課題を解決するために、第１の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、撮像モードを検出する撮像モード検出回路と、前記ズーム倍率検出回路，前記撮像モード検出回路の各出力のうちから選択した選択出力に基づいて、前記輪郭補償手段で前記撮像信号の所定の周波数帯域に対して輪郭補償処理を施すように制御する制御部とを備えたことを特徴とする輪郭補償装置である。」
を、
「上述の課題を解決するために、第１の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、撮像モードを検出する撮像モード検出回路と、前記
電子ズーム手段における
、前記制御部は前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした
と訂正する。
（ウ）訂正事項ｃ
　明細書の段落番号【００１１】に記載された
「また、第２の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、輪郭補償処理を施す周波数帯域のユーザによる選択を可能とするための補償周波数帯域選択回路と、前記ズーム倍率検出回路，前記補償周波数帯域選択回路の各出力のうちから選択した選択出力に基づいて、前記輪郭補償手段で前記撮像信号の所定の周波数帯域に対して輪郭補償処理を施すように制御する制御部とを備えたことを特徴とする輪郭補償装置である。」
を、
「また、第２の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、
前記
電子ズーム手段における
、前記制御部は前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした
と訂正する。
（エ）訂正事項ｄ
　明細書の段落番号【００１２】に記載された
「また、第３の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、撮像モードを検出する撮像モード検出回路と、輪郭補償処理を施す周波数帯域のユーザによる選択を可能とするための補償周波数帯域選択回路と、前記ズーム倍率検出回路，前記撮像モード検出回路，前記補償周波数帯域選択回路の各出力のうちから選択した選択出力に基づいて、前記輪郭補償手段で前記撮像信号の所定の周波数帯域に対して輪郭補償処理を施すように制御する制御部とを備えたことを特徴とする輪郭補償装置である。」
を、
「また、第３の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、撮像モードを検出する撮像モード検出回路と、
前記
電子ズーム手段における
、前記制御部は前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした
と訂正する。
（オ）訂正事項ｅ
　明細書の段落番号【００１３】に記載された
「また、第４の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、撮像モードを検出する撮像モード検出ステップと、前記ズーム倍率検出ステップ，前記撮像モード検出ステップの各出力のうちから選択した選択出力に基づいて、前記輪郭補償ステップで前記撮像信号の所定の周波数帯域に対して輪郭補償処理を施すように制御する制御ステップとからなることを特徴とする輪郭補償方法である。」
を、
「また、第４の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、撮像モードを検出する撮像モード検出ステップと、前記
電子ズームステップにおける
とを有し、前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
と訂正する。
（カ）訂正事項ｆ
　明細書の段落番号【００１４】に記載された
「また、第５の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、輪郭補償処理を施す周波数帯域のユーザによる選択を可能とするための補償周波数帯域選択ステップと、前記ズーム倍率検出ステップ，前記補償周波数帯域選択ステップの各出力のうちから選択した選択出力に基づいて、前記輪郭補償ステップで前記撮像信号の所定の周波数帯域に対して輪郭補償処理を施すように制御する制御ステップとからなることを特徴とする輪郭補償方法である。」
を、
「また、第５の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、
前記
電子ズームステップにおける
とを有し、前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
と訂正する。
（キ）訂正事項ｇ
　明細書の段落番号【００１５】に記載された
「更に、第６の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、撮像モードを検出する撮像モード検出ステップと、輪郭補償処理を施す周波数帯域のユーザによる選択を可能とするための補償周波数帯域選択ステップと、前記ズーム倍率検出ステップ，前記撮像モード検出ステップ，前記補償周波数帯域選択ステップの各出力のうちから選択した選択出力に基づいて、前記輪郭補償ステップで前記撮像信号の所定の周波数帯域に対して輪郭補償処理を施すように制御する制御ステップとからなることを特徴とする輪郭補償方法である。」
を、
「更に、第６の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、撮像モードを検出する撮像モード検出ステップと、
前記
電子ズームステップにおける
とを有し、前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
と訂正する。
（ク）訂正事項ｈ
　明細書の段落番号【０１０２】に記載された
「本発明に係る輪郭補償システムである輪郭補償装置によれば、制御部は、ズーム倍率検出回路，撮像モード検出回路の各出力のうちから選択した選択出力、又は、ズーム倍率検出回路，補償周波数帯域選択回路の各出力のうちから選択した選択出力、もしくは、ズーム倍率検出回路，撮像モード検出回路，補償周波数帯域選択回路の各出力のうちから選択した選択出力に基づいて、輪郭補償手段で撮像信号の所定の周波数帯域に対して輪郭補償処理を施すように制御しているため、被写体像の撮像信号に対して折り返しノイズの増大を軽減することができる。このため、周波数特性及びＳ／Ｎ比の劣化を防止して、表示画像の画質の向上を図ることができる。
　また、本発明に係る輪郭補償システムである輪郭補償方法によれば、制御ステップは、ズーム倍率検出ステップ，撮像モード検出ステップの各出力のうちから選択した選択出力、又は、ズーム倍率検出ステップ，補償周波数帯域選択ステップの各出力のうちから選択した選択出力、もしくは、ズーム倍率検出ステップ，撮像モード検出ステップ，補償周波数帯域選択ステップの各出力のうちから選択した選択出力に基づいて、輪郭補償ステップで撮像信号の所定の周波数帯域に対して輪郭補償処理を施すように制御しているため、被写体像の撮像信号に対して折り返しノイズの増大を軽減することができる。このため、周波数特性及びＳ／Ｎ比の劣化を防止して、表示画像の画質の向上を図ることができる。」
を、
「本発明に係る輪郭補償システムによれば、
電子ズームにおけるズーム倍率検出により検出されたズーム倍率が高くなるに応じて輪郭報償のための輪郭補償周波数の中域を強調すると共に、中域に対して高域の輪郭補償処理を抑制するようにしているめ、
撮像倍率が変化してもそれに応じた
する
と訂正する。
　
（２）訂正事項について 
　上記訂正事項ａは、請求項１ないし３において、輪郭補償手段での輪郭補償処理の制御に用いられるズーム倍率検出回路の出力が「電子ズーム手段における」ものであるとの限定事項を追加し、「制御部」について「前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした」との限定事項を追加するものである。
　また、上記訂正事項ａは、請求項４ないし６において、輪郭補償ステップでの輪郭補償処理の制御に用いられるズーム倍率検出ステップの出力が「電子ズームステップにおける」ものであると限定事項を追加し、「制御ステップ」について「前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである」との限定事項を追加するものである。
　また、上記訂正事項ａは、請求項２、３、５、６の「輪郭補償処理を施す」を「前記輪郭補償処理を施す」とする明りょうでない記載の釈明を目的とするものである。
　したがって、上記訂正事項ａは、特許請求の範囲の減縮、及び明りょうでない記載の釈明を目的とし、新規事項の追加に該当せず、実質上特許請求の範囲を拡張し、又は変更するものではない。 
　上記訂正事項ｂないしｈは、特許請求の範囲と発明の詳細な説明とを整合させるための訂正であり、明りょうでない記載の釈明を目的とした明細書の訂正に該当し、新規事項の追加に該当せず、実質上特許請求の範囲を拡張し、又は変更するものではない。
　
（３）むすび 
　以上のとおりであるから、上記訂正は、特許法第１２０条の４第２項及び同条第３項において準用する特許法第１２６条２項及び第３項の規定に適合するので、当該訂正を認める。
　
３．特許異議の申し立てについて 
（１）申立ての理由の内容 
　異議申立人溝呂木寛は、本件請求項１ないし６に係る発明の特許に対して、証拠として
甲第１号証：特開平２−１３１６７９号公報(以下、「刊行物１」という。)
甲第２号証：特開平５−１３７１４７号公報(以下、「刊行物２」という。)
甲第３号証：特開平４−３５８４７９号公報(以下、「刊行物３」という。)
甲第４号証：特開平６−３３９４５８号公報(以下、「刊行物４」という。)
を提出し、本件請求項１ないし６に係る発明の特許は、特許法第２９条第２項の規定に違反してなされたものであるから、本件請求項１ないし６に係る発明の特許は取り消されるべきものである旨主張している。
　また、異議申立人金子和弘は、本件請求項１及び４に係る発明の特許に対して、証拠として
甲第１号証：特開平２−１３１６７９号公報(刊行物１と同じ)
甲第２号証：特開平４−２７８７８３号公報(以下、「刊行物５」という。)
を提出し、本件請求項１及び４に係る発明の特許は、特許法第２９条第２項の規定に違反してなされたものであるから、本件請求項１及び４に係る発明の特許は取り消されるべきものである旨主張している。
　
（２）本件発明 
　上記２に記載したとおり、平成１６年１０月１８日付訂正請求書による訂正請求は認容されるので、本件の請求項１ないし６に係る発明の特許（以下、「本件特許発明１ないし６」という。）は、同訂正請求書に添付した訂正明細書の特許請求の範囲の請求項１ないし６に記載されたとおりのものと認める。
　
（３）引用刊行物記載の発明 
　当審が通知した取消理由に引用した刊行物１（特開平２−１３１６７９号公報)には、電子ズーム装置及び電子ズーム内蔵撮像装置に関し、下記の事項が図面と共に記載されているものと認められる。
（ア）電子ズーム装置は、高周波フィルタと帯域フィルタとを備え、電子ズーム倍率により各フィルタから出力される信号のゲインを制御するとともに補間回路の制御を行う。アパーチャ補正信号を合成するためのフィルタを複数個用い、異なる帯域の信号を分離して各信号ごとに独立にゲインを設定する。（４頁右上欄４−１９行）
（イ）電子ズーム倍率が比較的低い範囲では尖鋭感の低下は少なくノイズ成分の少ないＢＰＦ−Ｂ３４の帯域を＋３ｄＢブーストする。また電子ズーム倍率が２倍に近いところでは尖鋭感の低下が多くなり、尖鋭感の十分に改善される最も高い帯域ＨＰＦ３２の成分を＋５ｄＢブーストする。このとき、信号成分と同時にノイズ成分も同時にブーストされるため、コアリング回路１４の特性を同時に制御してＳ／Ｎの低下を最小限にとどめる。（４頁左下欄１０−２０行、第７図、第８図）
（ウ）アパーチャ補正回路のブースト量、ブースト周波数を制御できるようにフィルタを設け、コアリング回路によりコアリングレベルを制御できるようにし、これらを電子ズーム倍率に応じて制御することにより、それぞれの電子ズーム倍率において適切な制御が可能となり、尖鋭感を低下させずにＳ／Ｎ比の低下も最小限にすることが可能となる。（４頁右下欄１４行−５頁左上欄２行）
　
　同刊行物２（特開平５−１３７１４７号公報）には、ビデオカメラに関し、下記の事項が図面と共に記載されているものと認められる。
（エ）ＲＯＭに複数の撮影モードに対する制御データを格納しておき、例えば、人物撮影に重点を置いたポートレイトモードを選択した場合、輝度信号処理回路が制御されて画面をソフトに仕上げるために輪郭補正量や周波数特性が設定される。（段落【００１７】）
　
　同刊行物３（特開平４−３５８４７９号公報)には、ビデオカメラに関し、下記の事項が図面と共に記載されているものと認められる。
（オ）光学ズームレンズの倍率の変化に応じて、テレ端からワイド端で徐々に輪郭補正処理によるブースト周波数が高くなるように変化させると、ワイド端では輪郭が細い線で強調された画像に見え、テレ端では輪郭が太い線で強調されたように見える。（段落【００２４】）
　
　同刊行物４（特開平６−３３９４５８号公報）には、内視鏡装置に関し、下記の事項が図面と共に記載されているものと認められる。
（カ）輪郭補正回路の強調周波数、強調レベルを画面の態様に応じてユーザの操作によって設定可能とした内視鏡装置。（段落【０００２】、【０００９】）
　
　同刊行物５（特開平４−２７８７８３号公報）には、映像信号記録再生装置に関し、下記の事項が図面と共に記載されているものと認められる。
（キ）動画の撮影モードと静止画の撮影モードを備え、撮影モードに適した輪郭補償等の信号処理を制御するようにした静止画記録可能なビデオテープレコーダー。（段落【００２０】、【００２６】）　
　
（４）対比・判断 
　本件特許発明１ないし６と上記刊行物１ないし５に記載された発明とを対比、判断すると、
　上記刊行物１に記載の発明は、上記記載（ア）ないし（ウ）からみて、尖鋭感を改善させるために、映像信号を複数のフィルタで複数の帯域に分離し、電子ズーム倍率が高いときは、高域フィルタの成分をブーストし、ノイズ成分を改善するためにコアリングレベルを制御するものであって、折り返しノイズの軽減を示唆するものではなく、電子ズーム倍率が高くなるに応じて中域に対して高域の輪郭補償処理を抑制するように制御するものではない。
　上記刊行物２に記載の発明は、上記記載（エ）からみて、撮影モードに応じた輪郭補償処理を行うものであり、電子ズーム倍率と輪郭補償処理との関係を示唆するものではない。
　上記刊行物３に記載の発明は、上記記載（オ）からみて、光学ズームレンズの倍率の変化に応じて、光学ズーム倍率が大きくなるに従って輪郭補正処理によるブースト周波数が高くなるように変化させるものであり、電子ズームに関するものではなく、また、折り返しノイズの軽減のために、ズーム倍率が高くなるに応じて中域に対して高域の輪郭補償処理を抑制するように制御するものではない。
　上記刊行物４に記載の発明は、上記記載（カ）からみて、ユーザの操作によって輪郭補正回路の強調周波数を設定可能とするものであって、電子ズームに関するものではなく、輪郭補正もズーム倍率が高くなるに応じて中域に対して高域の輪郭補償処理を抑制するようにするものではない。
  上記刊行物５に記載の発明は、上記記載（キ）からみて、撮影モードに応じて適した輪郭補償処理を行うものであって、電子ズームに関するものではなく、輪郭補正もズーム倍率が高くなるに応じて中域に対して高域の輪郭補償処理を抑制するようにするものではない。
　したがって、上記刊行物１ないし５に記載の各発明は、本件特許発明１ないし３における「制御部は前記電子ズーム手段におけるズーム倍率検出回路により検出されたズーム倍率が高くなるに応じて前記輪郭補償手段の輪郭補償周波数の中域を強調すると共に、中域に対し高域の輪郭補償処理を抑制するよう制御する構成とした」という主要事項１、本件特許発明４ないし６における「制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップであること」という主要事項２を備えておらず、上記刊行物１ないし５には、上記主要事項１及び２を示唆する記載もない。
　そして、本件特許発明１ないし６は、上記主要事項１，２により、明細書に記載された「被写体の撮影倍率が変化してもそれに応じた撮像信号に対する折り返しノイズの増大を軽減することができる。」という作用効果を奏するものであり、この点は前記各刊行物に記載のものから期待することができない格別のものである。
　したがって、本件特許発明１ないし６は、上記刊行物１ないし５に記載された発明に基づいて当業者が容易に発明をすることができたものとは認められない。
　
（５）むすび 
　以上のとおりであるから、特許異議の申立ての理由及び証拠によっては、本件請求項１ないし６に係る発明の特許を取り消すことはできない。 
　また、他に本件請求項１ないし６に係る発明の特許を取り消すべき理由を発見しない。
　よって結論のとおり決定する。 
【異議決定日】
平成１７年２月１５日（２００５．２．１５）
【訂正の要旨】
審決（決定）の【理由】欄参照。
（５４）【発明の名称】
輪郭補償システム
（５７）【特許請求の範囲】
　【請求項１】
　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　撮像モードを検出する撮像モード検出回路と、
　前記
電子ズーム手段における
、
　
前記制御部は前記電子ズーム手段におけるズーム倍率検出回路により検出されたズーム倍率が高くなるに応じて前記輪郭補償手段の輪郭補償周波数の中域を強調すると共に、中域に対して高域の輪郭補償処理を抑制するよう制御する構成とした
　【請求項２】
　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　
前記
　前記
電子ズーム手段における
、
　
前記制御部は前記電子ズーム手段におけるズーム倍率検出回路により検出されたズーム倍率が高くなるに応じて前記輪郭補償手段の輪郭補償周波数の中域を強調すると共に、中域に対して高域の輪郭補償処理を抑制するよう制御する構成とした
　【請求項３】
　被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、
　前記光学ズーム手段及び前記電子ズーム手段におけるズーム倍率を検出するズーム倍率検出回路と、
　撮像モードを検出する撮像モード検出回路と、
　
前記
　前記
電子ズーム手段における
、
　
前記制御部は前記電子ズーム手段におけるズーム倍率検出回路により検出されたズーム倍率が高くなるに応じて前記輪郭補償手段の輪郭補償周波数の中域を強調すると共に、中域に対して高域の輪郭補償処理を抑制するよう制御する構成とした
　【請求項４】
　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　撮像モードを検出する撮像モード検出ステップと、
　前記
電子ズームステップにおける
とを有し、
　前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップであることを特徴とする輪郭補償方法。
　【請求項５】
　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　前記輪郭補償処理を施す周波数帯域のユーザによる選択を可能とするための補償周波数帯域選択ステップと、
　前記
電子ズームステップにおける
とを有し、
　
前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
　【請求項６】
　被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、
　前記光学ズームステップ及び前記電子ズームステップにおけるズーム倍率を検出するズーム倍率検出ステップと、
　撮像モードを検出する撮像モード検出ステップと、
　
前記
　前記
電子ズームステップにおける
とを有し、
　
前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
【発明の詳細な説明】
　【０００１】
　【発明の属する技術分野】
　本発明は、例えばビデオカメラ装置、カメラ装置、コンピュータ装置の画像処理系等に設けて好適な輪郭補償システムに関し、特に画像情報或いは撮像情報の電子ズームのズーム倍率に応じた周波数帯域に対して輪郭補償処理を施すようにした輪郭補償システムに関する。
　【０００２】
　【従来の技術】
　今日において、所望の被写体を撮像することにより得られた撮像信号を、デジタル化してビデオカセットテープに記録するデジタルビデオカメラ装置が知られている。
　【０００３】
　このデジタルビデオカメラ装置は、ＣＣＤイメージセンサで撮像光を取り込み、この撮像光の光量に応じたアナログの撮像信号を形成する。この撮像信号は、適当な利得で増幅されデジタル化された後ガンマ補正処理が施され輪郭補償回路に供給される。輪郭補償回路は、固定値とされた輪郭補償係数を用いて撮像データの特定周波数を強調した輪郭補償データを形成し、これを元の撮像データと加算処理することで該撮像データに輪郭補償処理を施し、これを電子ズーム回路に供給する。電子ズーム回路は、ユーザにより指定された倍率となるように、輪郭補償処理の施された撮像データに対して例えばライン補間処理等を施して被写体像を電気的に拡大処理して出力する。この撮像データは、所定のビデオプロセス処理が施され、ビデオカセットテープに記録される。
　【０００４】
　【発明が解決しようとする課題】
　しかし、従来のデジタルビデオカメラ装置は、輪郭補償回路の輪郭補償係数が固定値とされており、この結果、輪郭補償処理により強調される周波数帯域が限定（固定）されるため、前記電子ズーム回路により高倍率の電子ズーム処理を行うと折り返しノイズが増大して周波数特性及びＳ／Ｎ比が劣化し、表示画像の画質が劣化する問題があった。
　【０００５】
　なお、特開平５−１２２５７７号公報において、電子ズームの拡大率に応じて輪郭補償係数の値を可変制御して解像度の劣化を防止するビデオカメラ装置が開示されているのであるが、このような従来の技術は、輪郭補償係数の値を可変することで「補正レベル」を可変制御するものである。すなわち、撮像情報の全体的なレベルの上下制御で輪郭補償処理を実現しているものである。このため、良好な輪郭補償処理を行うことは困難であり、前述の課題を解決するには至らない。
　【０００６】
　本発明は上述の課題に鑑みてなされたものであり、電子ズーム回路により高倍率の電子ズーム処理等を行った場合でも、これによる折り返しノイズの増大を軽減して周波数特性及びＳ／Ｎ比の劣化を防止して、表示画像の画質の向上を図ることができるような輪郭補償システムの提供を目的とする。
　【０００７】
　【課題を解決するための手段】
　本発明に係る輪郭補償システムである輪郭補償装置、輪郭補償方法は、以下に説明するように上述の課題を解決可能な特徴的な各手段を有するのであるが、その説明の前に従来の技術と本発明との差異を明確化しておく。
　【０００８】
　発明が解決しようとする課題の項に示した特開平５−１２２５７７号公報に開示されているビデオカメラ装置は、全て輪郭補償係数の値を可変することで「補正レベル」を可変制御するものである。言い換えれば、撮像情報の全体的なレベルの上下制御で輪郭補償処理を実現しているものである。
　【０００９】
　これに対して、本発明は、全く新規かつ進歩的な技術的思想から見いだされたものであり、電子ズームのズーム倍率に応じて、撮像情報の「周波数帯域」に対して輪郭補償処理を施すという、いわば撮像情報の部分的な輪郭補償処理を実行するものである。
　【００１０】
　上述の課題を解決するために、第１の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、撮像モードを検出する撮像モード検出回路と、前記
電子ズーム手段における
、前記制御部は前記電子ズーム手段におけるズーム倍率検出回路により検出されたズーム倍率が高くなるに応じて前記輪郭補償手段の輪郭補償周波数の中域を強調すると共に、中域に対して高域の輪郭補償処理を抑制するよう制御する構成とした
　【００１１】
　また、第２の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、
前記
電子ズーム手段における
、前記制御部は前記電子ズーム手段におけるズーム倍率検出回路により検出されたズーム倍率が高くなるに応じて前記輪郭補償手段の輪郭補償周波数の中域を強調すると共に、中域に対して高域の輪郭補償処理を抑制するよう制御する構成とした
　【００１２】
　また、第３の発明は、被写体を撮影した被写体像の光学的な拡大処理を施す光学ズーム手段と、前記被写体像の電気的な拡大処理を施す電子ズーム手段と、前記被写体像の撮像信号に対して輪郭補償処理を施す輪郭補償手段とを少なくとも備えた輪郭補償装置において、前記光学ズーム手段及び前記電子ズーム手段におけるズーム倍率を検出するズーム倍率検出回路と、撮像モードを検出する撮像モード検出回路と、
前記
電子ズーム手段における
、前記制御部は前記電子ズーム手段におけるズーム倍率検出回路により検出されたズーム倍率が高くなるに応じて前記輪郭補償手段の輪郭補償周波数の中域を強調すると共に、中域に対して高域の輪郭補償処理を抑制するよう制御する構成とした
　【００１３】
　また、第４の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、撮像モードを検出する撮像モード検出ステップと、前記
電子ズームステップにおける
とを有し、前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
　【００１４】
　また、第５の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、
前記
電子ズームステップにおける
とを有し、前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
　【００１５】
　更に、第６の発明は、被写体を撮影した被写体像の光学的な拡大処理を施す光学ズームステップと、前記被写体像の電気的な拡大処理を施す電子ズームステップと、前記被写体像の撮像信号に対して輪郭補償処理を施す輪郭補償ステップとを少なくとも有する輪郭補償方法において、前記光学ズームステップ及び前記電子ズームステップにおけるズーム倍率を検出するズーム倍率検出ステップと、撮像モードを検出する撮像モード検出ステップと、
前記
電子ズームステップにおける
とを有し、前記制御ステップは前記電子ズームステップにおけるズーム倍率検出ステップにより検出されたズーム倍率が高くなるに応じて前記輪郭補償ステップの輪郭補償周波数の中域を強調すると共に、中域に対して高域の輪郭補償処理を抑制するよう制御するステップである
　【００１６】
　【発明の実施の形態】
　以下、本発明に係る輪郭補償システムの好ましい実施の形態について、図面を参照しながら詳細に説明する。
　【００１７】
　本発明に係る輪郭補償システムは、デジタルビデオカメラ装置に適用することができる。このデジタルビデオカメラ装置は、ＣＣＤイメージセンサにおいて取り込んだ撮像光に基づいて、デジタル的な電気信号である撮像データを形成し、この撮像データを、いわゆるデジタルビデオカセットテープに記録するようになっている。
　【００１８】
　このようなデジタルビデオカメラ装置の撮像系は、図１に示すように構成されており、被写体の撮像を行いこの撮像光に応じた撮像信号を出力する撮像部１と、撮像部１からの撮像信号を所定の利得で増幅して出力する自動利得制御回路２（ＡＧＣ回路）と、ＡＧＣ回路２からのアナログ信号である撮像信号をデジタルデータである撮像データに変換して出力するＡ／Ｄ変換器３と、Ａ／Ｄ変換器３からの撮像データから高周波ノイズ成分を除去するローパスフィルタ４（ＬＰＦ）と、ＬＰＦ４を介した撮像データに対してガンマ補正処理を施すガンマ補正回路５とを有している。
　【００１９】
　また、この撮像系は、ガンマ補正回路５からの撮像データの所定の周波数帯域に対して輪郭補償処理を施すための輪郭補償データを形成して出力する輪郭補償回路６と、この輪郭補償回路６からの輪郭補償データを、ガンマ補正回路５からの撮像データ（元の撮像データ）に加算処理することで、該撮像データの所定の周波数帯域に対して輪郭補償処理を施す加算器７と、この加算器７を介して供給される撮像データをメモリ８に一旦記憶制御すると共に、メモリ８から読み出された撮像データに基づいて、電気的な画像の拡大或いは縮小処理（電子ズーム）を施す電子ズーム回路９と、電子ズーム回路９からのフレーム形態の撮像データをフィールド形態の撮像データに変換し、これを出力端子１１を介して出力するフレーム／フィールド変換回路１０とを有している。後に説明するが、当該実施の形態のデジタルビデオカメラ装置においては、輪郭補償回路６が、電子ズーム回路９の前段に設けられていることが一つの特徴となっている。
　【００２０】
　また、この撮像系は、撮像部１の光学ズーム及び電子ズーム回路９の電子ズームにおけるズーム倍率を検出するズーム倍率検出回路１２と、撮像モードを検出する撮像モード検出回路１３と、輪郭補償処理を施す周波数帯域のユーザによる選択を可能とするための補償周波数帯域選択回路１４と、撮像部１に設けられているＣＣＤイメージセンサの飽和レベルに基づいて、該撮像部１から出力された撮像信号の飽和の有無を検出する飽和検出回路１５と、フレーム／フィールド変換回路１０の撮像信号の出力形態のユーザによる選択を可能とするための変換特性選択回路１６とを有している。
　【００２１】
　また、この撮像系は、当該デジタルビデオカメラ装置全体のシステム制御を行うと共に、特に、ズーム倍率検出回路１２、撮像モード検出回路１３及び補償周波数帯域選択回路１４からの各検出出力或いは選択出力に基づいて、撮像信号の所定の周波数帯域に対して輪郭補償処理を施し、撮像モード検出回路１３、飽和検出回路１５及び変換特性選択回路１６からの各検出出力或いは選択出力に基づいて、フレーム／フィールド変換回路１０から出力される撮像データの出力形態を制御する制御回路１７を有している。
　【００２２】
　本発明に係る輪郭補償システムである輪郭補償装置、輪郭補償方法は、主にこのようなデジタルビデオカメラ装置の前記輪郭補償回路６に適用されている。輪郭補償回路６は、説明の都合上、図１には一つのブロックとして示しているのであるが、実際の輪郭補償動作はソフトウエア的に実行される（勿論、ハードウエア的に実行してもよい。）。このため、本発明は、制御回路１７内或いは制御回路１７外の記憶媒体（ＲＯＭ、ＲＡＭ、ＨＤＤ等）に記憶された輪郭補償処理プログラムを、該制御回路１７が実行することで実施されるようになっている。従って、例えばインターネット等を通じて当該輪郭補償処理プログラムをコンピュータ装置に取り込んで実行し、或いはＲＯＭディスクに記憶された当該輪郭補償処理プログラムをコンピュータ装置のＨＤＤ等にダウンロードして実行する等の行為は、全て本発明の範疇にあるものと理解されたい。
　【００２３】
　次に、前記撮像部１には、例えばＣＣＤイメージセンサが設けられており、これにより撮像光の取り込みを行うようになっている。なお、このような撮像手段としては、ＣＣＤイメージセンサの代わりに撮像管を設け、これにより撮像光の取り込みを行うようにしてもよい。また、この撮像部１に設けられているＣＣＤイメージセンサとしては、偶数フィールド及び奇数フィールドの各フィールド毎の撮像信号をそれぞれ読み出して出力するフィールド読み出し型のＣＣＤイメージセンサの他、１フレーム分の撮像信号を一度に読み出し、この１フレーム分の撮像信号を各フィールドの撮像信号に分割して出力するフレーム読み出し型のＣＣＤイメージセンサ等を設けることができる。
　【００２４】
　後に説明するが、このデジタルビデオカメラ装置においては、輝度データ（Ｙデータ）に対して輪郭補償処理を施すようになっている。図１に示す撮像部１〜フレーム／フィールド変換回路１０までのデータ処理ラインは、輝度データ及び色データ（色差データＣｒ、Ｃｂ）からなる撮像データのうち輝度データのデータ処理ラインのみ示しているのであるが、前記フィールド読み出し型のＣＣＤイメージセンサを設けた場合には、各フィールドの輝度データがそれぞれ出力されるため、このデータ処理ラインはそれぞれ各フィールド用に２系統存在し（偶数フィールド用のデータ処理ラインと、奇数フィールド用のデータ処理ラインとの計２系統の意。）、前記フレーム読み出し型のＣＣＤイメージセンサを設けた場合には、フレームから分割された各フィールドの輝度データが順番に出力されるようになるため、このデータ処理ラインは図１に示すとおり１系統存在するものと理解されたい。
　【００２５】
　なお、輝度データに対して輪郭補償処理を施すこととして説明を進めるが、これは、色データに対して輪郭補償処理を施すようにしてもよい。この場合でも、後に説明する輪郭補償回路６の動作がそのまま適用され、色データ用の輪郭補償係数により色データの所定の周波数帯域に対して輪郭補償処理が施される。
　【００２６】
　また、撮像部１には、光学的なズーム機能（光学ズーム）が設けられており、ユーザの操作に応じて所望の倍率に被写体像を拡大或いは縮小するようになっている。この光学ズームと前記電子ズームとは、所定の倍率で切り換えられるようになっており、具体的には、例えば１倍〜２０倍の範囲で被写体像を光学的に拡大し、２０倍以上に拡大する際には、光学ズームから電子ズームへの切り換えを行い、光学的に２０倍に拡大された被写体像を電気的に４倍まで拡大するようになっている。従って、光学ズーム及び電子ズームを合わせて計８０倍までの被写体像の拡大が可能となっている。このような構成は一例であるため、設計等に応じて所望の値（倍率）に設定すればよいことは勿論である。
　【００２７】
　次に、このような構成を有する当該実施の形態のデジタルビデオカメラ装置の動作説明をする。
　【００２８】
　まず、所望の被写体の撮像が開始されると、撮像部１は、被写体の撮像光をＣＣＤイメージセンサで受光し、この受光した撮像光の光量に応じたアナログ的な撮像信号を形成する。なお、この撮像する被写体像のズーム倍率は、撮像部１に設けられている光学ズーム機能により、ユーザの操作に応じて光学的に可変可能となっている。
　【００２９】
　この撮像部１からの撮像信号は、ＡＧＣ回路２により所定の利得で増幅され、Ａ／Ｄ変換器３によりデジタル化されると共に、ＬＰＦ回路４により高周波ノイズ成分が除去されると共に、ガンマ補正回路５によりガンマ補正処理が施されて輪郭補償回路６及び加算器７に供給され、加算器７により輪郭補償回路６からの輪郭補償データが加算処理されることで所定の周波数帯域に対して輪郭補償処理が施される。そして、メモリ８にフレーム単位で書き込み制御され、ユーザの操作に応じて電子ズーム回路９によりライン補間処理等による被写体像の電気的な拡大処理が施され、フレーム／フィールド変換回路１０により出力端子１１を介して各フィールド毎に出力される。この出力端子１１を介して出力された撮像データは、所定のビデオプロセス処理が施されて記録系に供給され、例えばデジタルビデオカセットテープ等の記録媒体にデジタル記録される。
　【００３０】
　ここで、輪郭補償回路６は図２に示すような構成を有している。前述のように図１に示す撮像部１〜フレーム／フィールド変換回路１０までのデータ処理ラインは撮像データのデータ処理ラインを示しており、ガンマ補正回路５からの輝度データは、この図２に示す入力端子２１に供給される。
　【００３１】
　当該実施の形態のデジタルビデオカメラ装置においては、電子ズーム回路９の前段に一括して輪郭補償回路６を設けることで、水平方向及び垂直方向の輪郭補償処理を一括して行うようになっている。このため、この輪郭補償回路６には、制御回路１７の制御により、水平方向及び垂直方向の輝度データが各輪郭補償処理に応じて供給されることとなる。
　【００３２】
　このように電子ズーム回路９の前段に一括して輪郭補償回路６を設けることにより、水平方向及び垂直方向の輪郭補償処理を一括して可能とすることができるため、水平方向用及び垂直方向用のメモリを共通化（兼用）することができ、構成の簡略化を図ることができる。
　【００３３】
　なお、この例においては、電子ズーム回路９の前段に輪郭補償回路６を一括して設けることとしたが、これは、例えば水平方向の輪郭補償用の輪郭補償回路を電子ズーム回路９の前段に設け、垂直方向の輪郭補償用の輪郭補償回路を電子ズーム回路９の後段に設ける等にように、電子ズーム回路９の前段及び後段に分割して設けるようにしてもよい。
　【００３４】
　次に、入力端子２１を介して供給された輝度データは、第１の遅延回路２２ａ及び第５の乗算器２４ｅに供給される。第１〜第４の遅延回路２２ａ〜２２ｄはそれぞれ直列的に接続されており、供給される輝度データに対して例えば１水平ライン分の遅延処理を施して出力する。第１の遅延回路２２ａから出力された輝度データは第４の乗算器２４ｄに、第２の遅延回路２２ｂから出力された輝度データは第３の乗算器２４ｃに、第３の遅延回路２２ｃから出力された輝度データは第２の乗算器２４ｂに、第４の遅延回路２２ｄから出力された輝度データは第１の乗算器２４ａにそれぞれ供給される。
　【００３５】
　各乗算器２４ａ〜２４ｅには、前記各輝度データの他、第１〜第５の入力端子２３ａ〜２３ｅを介して制御回路１７からの輪郭補償係数データが供給されている。この輪郭補償係数データとしては、前記撮像部１の光学ズーム、電子ズーム回路９の電子ズームにおけるズーム倍率や、撮像モード、或いはユーザの選択により、輝度データの所定の周波数帯域に対して輪郭補償処理を可能とする値が予め検出され、これらがテーブル化されて制御回路１７に記憶されている。制御回路１７は、前記ズーム倍率、撮像モード、或いはユーザの選択に応じて、この係数テーブルから所定の輪郭補償係数データを読み出し、これを各乗算器２４ａ〜２４ｅに供給する。
　【００３６】
　具体的には、光学ズーム及び電子ズームにおけるズーム倍率は、図１に示すズーム倍率検出回路１２で検出される。ズーム倍率検出回路１２は、例えば当該デジタルビデオカメラ装置に設けられている撮像倍率可変キーの操作時間等に応じてズーム倍率を検出するようになっており、ズーム倍率を検出するとこの検出出力を制御回路１７に供給する。制御回路１７は、このズーム倍率の検出出力に応じて前記係数テーブルから所定の輪郭補償係数データを読み出し、これを各乗算器２４ａ〜２４ｅに供給する。
　【００３７】
　さらに具体的に、電子ズームのズーム倍率を例として説明すると、該ズーム倍率が１倍〜２倍の場合は、図３（ａ）に示すように低域から中域までリニアに伸び、中域から高域にかけて略フラットな周波数特性に対応する輪郭補償係数データが用いられる。この場合、例えば「０．５」の値が第１の輪郭補償係数データＫ１として第３の入力端子２３ｃを介して第３の乗算器２４ｃに供給され、「−０．１６６」の値が第２の輪郭補償係数データＫ２として第２，第４の入力端子２３ｂ，２３ｄを介して第２，第４の乗算器２４ｂ，２４ｄに供給され、「−０．０８３」の値が第３の輪郭補償係数データＫ３として第１，第５の入力端子２３ａ，２３ｅを介して第１，第５の乗算器２４ａ，２４ｅに供給される。
　【００３８】
　また、電子ズームのズーム倍率が２倍〜３倍の場合は、図３（ｂ）に示すように低域から中域までリニアに伸び、中域から高域にかけて徐々にレベルダウンするような周波数特性に対応する輪郭補償係数データが用いられる。この場合、例えば「０．５」の値が第１の輪郭補償係数データＫ１として第３の入力端子２３ｃを介して第３の乗算器２４ｃに供給され、「−０．０８３」の値が第２の輪郭補償係数データＫ２として第２，第４の入力端子２３ｂ，２３ｄを介して第２，第４の乗算器２４ｂ，２４ｄに供給され、「−０．１６６」の値が第３の輪郭補償係数データＫ３として第１，第５の入力端子２３ａ，２３ｅを介して第１，第５の乗算器２４ａ，２４ｅに供給される。
　【００３９】
　また、電子ズームのズーム倍率が３倍〜４倍の場合は、図３（ｃ）に示すように低域から中域までリニアに伸び、中域から高域にかけてリニアにレベルダウンするような２次曲線的な周波数特性に対応する輪郭補償係数データが用いられる。この場合、例えば「０．５」の値が第１の輪郭補償係数データＫ１として第３の入力端子２３ｃを介して第３の乗算器２４ｃに供給され、「±０」の値が第２の輪郭補償係数データＫ２として第２，第４の入力端子２３ｂ，２３ｄを介して第２，第４の乗算器２４ｂ，２４ｄに供給され、「−０．２５」の値が第３の輪郭補償係数データＫ３として第１，第５の入力端子２３ａ，２３ｅを介して第１，第５の乗算器２４ａ，２４ｅに供給される。
　【００４０】
　また、ユーザにより選択される撮像モードは、図１に示す撮像モード検出回路１３で検出される。撮像モード検出回路１３は、例えば当該デジタルビデオカメラ装置に設けられている撮像モード選択キーの操作状態等により撮像モードを検出するようになっており、撮像モードを検出するとこの検出出力を制御回路１７に供給する。制御回路１７は、この撮像モードの検出出力に応じて前記係数テーブルから所定の輪郭補償係数データを読み出し、これを各乗算器２４ａ〜２４ｅに供給する。
　【００４１】
　例えば、複数の撮像モードの中から高解像度モードが選択されている場合、図４に示すように低域から高域まで略リニアに伸びる周波数特性に対応する輪郭補償係数データが用いられる。この場合、例えば「０．５」の値が第１の輪郭補償係数データＫ１として第３の入力端子２３ｃを介して第３の乗算器２４ｃに供給され、「−０．２５」の値が第２の輪郭補償係数データＫ２として第２，第４の入力端子２３ｂ，２３ｄを介して第２，第４の乗算器２４ｂ，２４ｄに供給され、「±０」の値が第３の輪郭補償係数データＫ３として第１，第５の入力端子２３ａ，２３ｅを介して第１，第５の乗算器２４ａ，２４ｅに供給される。
　【００４２】
　また、ユーザにより選択される輪郭補償処理を施す周波数帯域は、図１に示す補償周波数帯域選択回路１４で検出される。補償周波数帯域選択回路１４は、当該デジタルビデオカメラ装置に、例えば「低域、中域、高域」等のように輪郭補償処理を施す周波数帯域を選択するためのキーの操作状態等により、ユーザにより選択された周波数帯域を検出するようになっており、該周波数帯域を検出するとこの検出出力を制御回路１７に供給する。制御回路１７は、この周波数帯域の検出出力に応じて前述と同様に前記係数テーブルから所定の輪郭補償係数データを読み出し、これを各乗算器２４ａ〜２４ｅに供給する。
　【００４３】
　このような輪郭補償係数データは、本件出願人が、どの周波数帯域にどの程度の輪郭補償処理を施せば良好な表示画像が得られるかを試作実験を重ねることで得た値となっている。また、表示画像の善し悪しは、各自好みの問題もあり一義的に決まるものではない。このため、当該デジタルビデオカメラ装置は、各自好みの画像を得られるように、輪郭補償処理を施す周波数帯域をユーザが選択可能となっている。
　【００４４】
　さらに、電子ズームにより被写体像を拡大すると、いわゆる折り返しノイズが発生するため、これを防止するために電子ズーム回路９の前段にローパスフィルタを必要とするのであるが、前記輪郭補償係数データは、この発生した折り返しノイズを低減可能な値となっている。ローパスフィルタは、多くのタップを必要とするため、これを設けると構成が複雑化するのであるが、当該デジタルビデオカメラ装置においては、前記輪郭補償係数データが、電子ズームにより発生した折り返しノイズを低減可能な値となっているため、ローパスフィルタを不要とすることができ、構成の簡略化を図ることができる。
　【００４５】
　第１の乗算器２４ａは、第４の遅延回路２２ｄから供給される輝度データと第１の入力端子２３ａを介して供給される第３の輪郭補償係数データＫ３とを乗算処理し、これを第１の加算器２５ａに供給する。第２の乗算器２４ｂは、第３の遅延回路２２ｃから供給される輝度データと第２の入力端子２３ｂを介して供給される第２の輪郭補償係数データＫ２とを乗算処理し、これを第１の加算器２５ａに供給する。第１の加算器２５ａは、第１の乗算器２４ａからの乗算出力と、第２の乗算器２４ｂからの乗算出力とを加算処理し、これを第３の加算器２５ｃに供給する。
　【００４６】
　同様に、第３の乗算器２４ｃは、第２の遅延回路２２ｂから供給される輝度データと第３の入力端子２３ｃを介して供給される第１の輪郭補償係数データＫ１とを乗算処理し、これを減算器２６に供給する。
　【００４７】
　また、第４の乗算器２４ｄは、第１の遅延回路２２ａから供給される輝度データと第４の入力端子２３ｄを介して供給される第２の輪郭補償係数データＫ２とを乗算処理し、これを第２の加算器２５ｂに供給し、第５の乗算器２４ｅは、入力端子２１から直接供給される輝度データと第５の入力端子２３ｅを介して供給される第３の輪郭補償係数データＫ３とを乗算処理し、これを第２の加算器２５ｂに供給する。第２の加算器２５ｂは、第４の乗算器２４ｄからの乗算出力と、第５の乗算器２４ｅからの乗算出力とを加算処理し、これを第３の加算器２５ｃに供給する。
　【００４８】
　第３の加算器２５ｃは、第１、第２の加算器２５ａ、２５ｂからの各加算出力をそれぞれ加算処理し、これを減算器２６に供給する。減算器２６は、第３の乗算器２４ｃからの乗算出力から、第３の加算器２５ｃからの加算出力を減算処理し、この減算出力を輪郭補償データとして出力端子２７を介して図１に示す加算器７に供給する。
　【００４９】
　加算器７は、ガンマ補正回路５から供給される輝度データと、輪郭補償回路６からの輪郭補償データとを加算処理することにより、前記ズーム倍率或いは撮像モード等に応じて、その輝度データの所定の周波数帯域に対して輪郭補償処理を施し、これをメモリ８に供給する。メモリ８は、フィールド単位で供給される前記輝度データをフレーム単位で一旦記憶し、このフレーム単位の輝度データを電子ズーム回路９を介してフレーム／フィールド変換回路１０に供給する。後に詳しく説明するが、フレーム／フィールド変換回路１０は、フレーム単位で供給される輝度データを各フィールド毎の輝度データに変換し、これを出力端子１１を介して前記記録系に供給する。
　【００５０】
　このように、当該デジタルビデオカメラ装置は、ズーム倍率、撮像モード或いはユーザの選択に応じて画像情報の周波数帯域に対して輪郭補償処理を施す。これにより、ユーザの操作に応じた最適な輪郭補償処理を可能とすることができる。従って、高倍率の電子ズームを行った際に問題となっていた、Ｓ／Ｎ比の劣化及び周波数特性の劣化を防止することができる。
　【００５１】
　具体的には、例えば電子ズームを用いて無限遠被写体距離（縮小：ワイド側）による撮像を行った場合、その表示画像に高周波成分が増加することが一般的に知られているのであるが、この場合は、図３（ａ）に示すような周波数特性を有する輪郭補償係数データを用い、５．４ＭＨｚ〜６．７５ＭＨｚの高周波領域を強調することにより表示画像の高周波成分を強調することができ、より良好な表示画像を得ることができる。また、この逆に、電子ズームを用いて至近被写体距離（拡大：テレ側）による撮像を行った場合、その表示画像に高周波成分が減少することが一般的に知られているのであるが、この場合は、図３（ｂ）に示すような周波数特性を有する輪郭補償係数データを用い、２．７ＭＨｚ〜５．０５ＭＨｚの中域を強調することにより、人物の拡大等の際に顔の表面がなだらかに見えるようにすることができ、より良好な表示画像を得ることができる。
　【００５２】
　また、当該デジタルビデオカメラ装置は、輪郭補償処理に用いられる輪郭補償係数データが、電子ズーム時の折り返しノイズを低減可能な値となっているため、電子ズームにより画質が劣化する不都合を防止することができるうえ、電子ズーム回路９の前段に必要としていたローパスフィルタを省略可能として構成の簡略化及びローコスト化を図ることができる。
　【００５３】
　次に、当該デジタルビデオカメラ装置は、前記フレーム／フィールド変換回路１０において、メモリ８から読み出されたフレーム単位の撮像データを各フィールド単位の撮像データに変換して出力するのであるが、この際、各フィールドの撮像データを加算処理することなくそのまま出力する「非加算モード」と、各フィールドの撮像データを互いに１／２ずつ加算処理して出力する「１／２加算モード」と、各フィールドの撮像データを互いに１／４ずつ加算処理して出力する「１／４加算モード」との、計３つの出力モードが選択可能となっている。
　【００５４】
　非加算モードの周波数特性は、図５中実線で示すように各フィールドの撮像データがそれぞれ低域から高域にかけてフラットな特性を示すようになっており、１／２加算モードの周波数特性は、同図中点線で示すように各フィールドの撮像データがそれぞれ低域から高域にかけて徐々に落ち込むような特性を示すようになっている。また、１／４加算モードの周波数特性は、同図中一点鎖線で示すように前記非加算モードと１／２加算モードの中間の特性を示すようになっている。このような出力モードは、ユーザが図１に示す変換特性選択回路１６を操作することで選択可能となっており、或いは撮像モード検出回路１３により検出された撮像モードに応じて、さらには飽和検出回路１５により検出された各フィールドの撮像データの飽和レベルに応じてそれぞれ選択可能となっている。制御回路１７は、変換特性選択回路１６により出力モードが選択された場合これを優先して、この他の場合は、前記撮像モード或いは飽和レベルに応じて最適な出力モードを選択するようにフレーム／フィールド変換回路１０を制御する。
　【００５５】
　ここで、前記飽和レベルの説明をすると、撮像部１に設けられているＣＣＤイメージセンサは、多光量の撮像光を受光すると各固体撮像素子が飽和状態となる。各固体撮像素子の感度特性はそれぞれ同じなのであるが、実際には感度特性の誤差等があり、これが原因で出力される各フィールドの撮像データのレベルに差異を生ずる。そして、画像表示を行った際にフリッカが発生する問題を生ずる。このようなことから、当該デジタルビデオカメラ装置は、飽和検出回路１５により各フィールドの撮像データの飽和レベルを検出するようになっており、この検出出力に応じて、前記出力モードの中から最適な出力モードを選択するようになっている。
　【００５６】
　次に、このフレーム／フィールド変換回路１０のうち、輝度データ用のフレーム／フィールド変換回路は、図６に示すように構成されており、偶数フィールド（ｅｖｅｎ）の輝度データが１水平ライン毎に入力端子３１を介して供給され、奇数フィールド（ｏｄｄ）の輝度データが１水平ライン毎に入力端子３２を介して供給されるようになっている。
　【００５７】
　この図６において、まず、各フィールドの輝度データを加算処理することなくそのまま出力する「非加算モード」が実行される場合、制御回路１７は、選択端子４３ｃにより被選択端子４３ａが選択されるように切り換えスイッチ４３を切り換え制御し、選択端子３８ｃにより被選択端子３８ａが選択されるように切り換えスイッチ３８を切り換え制御し、選択端子４７ｃにより被選択端子４７ｂが選択されるように切り換えスイッチ４７を切り換え制御すると共に、選択端子４１ｃにより被選択端子４１ａが選択されるように切り換えスイッチ４１を切り換え制御する。そして、偶数フィールドの際には、選択端子３７ｃにより被選択端子３７ａを選択するように、また、奇数フィールドの際には、選択端子３７ｃにより被選択端子３７ｂを選択するように、切り換えスイッチ３７を切り換え制御する。
　【００５８】
　これにより、偶数フィールドの際には、入力端子３１を介して供給された偶数フィールドの輝度データが、切り換えスイッチ３７、３８、リミッタ３９、切り換えスイッチ４１を介して遅延回路４８に供給され、該遅延回路４８により例えば１水平ライン分の遅延処理が施され、切り換えスイッチ４７及び出力端子４９を介して前記記録系側に出力される。また、奇数フィールドの際には、入力端子３２を介して供給された奇数フィールドの輝度データが、切り換えスイッチ４３、３７、３８、リミッタ３９、切り換えスイッチ４１を介して遅延回路４８に供給され、該遅延回路４８により例えば１水平ライン分の遅延処理が施され、切り換えスイッチ４７及び出力端子４９を介して前記記録系側に出力される。なお、前述のようにこの「非加算モード」時の画像データの周波数特性は、図５の実線で示すようになっている。
　【００５９】
　次に、各フィールドの撮像データを互いに１／２ずつ加算処理して出力する「１／２加算モード」が実行される場合、制御回路１７は、奇数フィールド時には選択端子４３ｃで被選択端子４３ａを選択し、偶数フィールド時には選択端子４３ｃで被選択端子４３ｂを選択するように切り換えスイッチ４３を切り換え制御し、選択端子３８ｃにより被選択端子３８ｂを選択するように切り換えスイッチ３８を切り換え制御すると共に、ビットシフタ４０からの出力を選択すべく選択端子４１ｃで被選択端子４１ｂを選択するように切り換えスイッチ４１を切り換え制御する。
　【００６０】
　また、制御回路１７は、この各切り換え制御と共に、選択端子３５ｄにより被選択端子３５ｂが選択されるように切り換えスイッチ３５を切り換え制御し、選択端子４６ｄにより被選択端子４６ｂが選択されるように切り換えスイッチ４６を切り換え制御すると共に、偶数フィールド時には遅延回路４８からの輝度データを選択すべく選択端子４７ｃで被選択端子４７ｂを選択し、奇数フィールド時には選択端子４７ｃで被選択端子４７ａを選択するように切り換えスイッチ４７を切り換え制御する。
　【００６１】
　これにより、偶数フィールドの輝度データの形成時には、入力端子３１を介して供給される偶数フィールドの輝度データが切り換えスイッチ３５を介して加算器３６に供給され、入力端子３２を介して供給される奇数フィールドの輝度データが切り換えスイッチ４３、４６を介して加算器３６に供給される。加算器３６は、各切り換えスイッチ３５、４６からの各輝度データを例えば０．５の割合の輝度データとしてそれぞれ加算処理することで偶数フィールドの輝度データを形成し、これを切り換えスイッチ３８を介してビットシフタ４０に供給する。
　【００６２】
　ビットシフタ４０に供給される輝度データは、偶数フィールド及び奇数フィールドの各輝度データが加算処理されたものであるため、レベル的に通常の２倍の輝度データとなっている。このため、ビットシフタ４０は、この輝度データを１ビット分シフトダウン処理することで、この２倍のレベルの輝度データを１／２のレベルとし通常の輝度データと同様に１のレベルとし、これを遅延回路４８に供給する。遅延回路４８は、このビットシフタ４０からの輝度データに対して例えば１水平ライン分の遅延処理を施すことで偶数フィールドのタイミングとし、これを切り換えスイッチ４７及び出力端子４９を介して前記記録系側に供給する。
　【００６３】
　一方、奇数フィールドの輝度データの形成時には、入力端子３１を介して供給される偶数フィールドの輝度データが切り換えスイッチ３５を介して加算器３６に供給され、入力端子３２を介して供給される奇数フィールドの輝度データは、遅延回路４２により例えば１水平ライン分の遅延処理が施されることで前記入力端子３１を介して供給される偶数フィールドの輝度データとタイミングが合わされ、切り換えスイッチ４３、４６を介して加算器３６に供給される。加算器３６は、各切り換えスイッチ３５、４６からの各輝度データを例えば０．５の割合の輝度データとしてそれぞれ加算処理することで奇数フィールドの輝度データを形成し、これを切り換えスイッチ３８を介してビットシフタ４０に供給する。
　【００６４】
　ビットシフタ４０は、前述と同様に、供給される輝度データを１ビット分シフトダウン処理することで、前記２倍のレベルの輝度データを１／２のレベルとして通常の輝度データと同様に１のレベルとし、これを切り換えスイッチ４１、４７及び出力端子４９を介して奇数フィールドの輝度データとして前記記録系側に供給する。
　【００６５】
　これにより、各フィールドの輝度データを互いに１／２ずつ加算処理することでＳ／Ｎ比を改善した画像データ（図５中の点線参照）を記録することができる。
　【００６６】
　次に、各フィールドの輝度データを互いに１／４ずつ加算処理して出力する「１／４加算モード」が実行される場合、制御回路１７は、偶数フィールド時には選択端子４３ｃで被選択端子４３ａを選択するように切り換えスイッチ４３を切り換え制御し、後述する０．７５の割合の輝度データを選択すべく選択端子３５ｄで被選択端子３５ａを選択するように切り換えスイッチ３５を切り換え制御し、後述する０．２５の割合の輝度データを選択すべく選択端子４６ｄで被選択端子４６ｃを選択するように切り換えスイッチ４６を切り換え制御すると共に、遅延回路４８からの遅延出力を選択すべく、選択端子４７ｃで被選択端子４７ｂを選択するように切り換えスイッチ４７を切り換え制御する。
　【００６７】
　また、奇数フィールド時には選択端子４３ｃで被選択端子４３ｂを選択するように切り換えスイッチ４３を切り換え制御し、後述する０．２５の割合の輝度データを選択すべく選択端子３５ｄで被選択端子３５ｃを選択するように切り換えスイッチ３５を切り換え制御し、後述する０．７５の割合の輝度データを選択すべく選択端子４６ｄで被選択端子４６ａを選択するように切り換えスイッチ４６を切り換え制御すると共に、選択端子４７ｃで被選択端子４７ａを選択するように切り換えスイッチ４７を切り換え制御する。
　【００６８】
　また、偶数フィールド時及び奇数フィールド時のいずれの場合も、選択端子３８ｃで被選択端子３８ｂを選択するように切り換えスイッチ３８を切り換え制御すると共に、ビットシフタ４０からの出力を選択すべく、選択端子４１ｃで被選択端子４１ｂを選択するように切り換えスイッチ４１を切り換え制御する。
　【００６９】
　入力端子３１を介して供給された偶数フィールドの輝度データは、加算器３４に供給されると共に、ビットシフタ３３に供給される。この輝度データは、１の割合の輝度データなのであるが、このフレーム／フィールド変換回路１０においては、この１の割合の輝度データを０．５の割合の輝度データと見なすようになっており、ビットシフタ３３は、この０．５の割合の輝度データを１ビット分シフトダウンすることにより０．２５の割合の輝度データを形成し、これを加算器３４及び切り換えスイッチ３５の被選択端子３５ｃに供給する。加算器３４は、前記入力端子３１を介して供給される前記０．５の割合の輝度データと、ビットシフタ３３からの０．２５の割合の輝度データとを加算処理することにより、０．７５の割合の輝度データを形成し、これを切り換えスイッチ３５の被選択端子３５ａに供給する。
　【００７０】
　同様に、入力端子３２を介して供給される奇数フィールドの輝度データは、偶数フィールドの輝度データの形成時には切り換えスイッチ４３を介してそのまま加算器４５及びビットシフタ４４に供給され、奇数フィールドの輝度データの形成時には遅延回路４２により１水平ライン分の遅延処理が施され、前記入力端子３１を介して供給される偶数フィールドの輝度データのタイミングで切り換えスイッチ４３を介して加算器４５及びビットシフタ４４に供給される。
　【００７１】
　ビットシフタ４４は、前述したように０．５の割合の輝度データを１ビット分シフトダウンすることにより０．２５の割合の輝度データを形成し、これを加算器４５及び切り換えスイッチ４６の被選択端子４６ｃに供給する。加算器４５は、前記入力端子３２を介して供給される前記０．５の割合の輝度データと、ビットシフタ４４からの０．２５の割合の輝度データとを加算処理することにより、０．７５の割合の輝度データを形成し、これを切り換えスイッチ４６の被選択端子４６ａに供給する。
　【００７２】
　前述のように、制御回路１７は、偶数フィールドの輝度データの形成時には、選択端子３５ｄにより被選択端子３５ａを選択するように切り換えスイッチ３５を切り換え制御すると共に、選択端子４６ｄにより被選択端子４６ｃを選択するように切り換えスイッチ４６を切り換え制御する。これにより、切り換えスイッチ３５を介して０．７５の割合の輝度データが、また、切り換えスイッチ４６を介して０．２５の割合の輝度データがそれぞれ加算器３６に供給される。加算器３６は、両者を加算することにより、通常の２倍のレベルを有する１の割合の偶数フィールドの輝度データを形成する。
　【００７３】
　この１の割合の偶数フィールドの輝度データは、切り換えスイッチ３８を介してビットシフタ４０に供給され、１ビット分シフトダウンされることで通常のレベルの偶数フィールドの輝度データとされ、切り換えスイッチ４１を介して遅延回路４８に供給される。遅延回路４８は、この輝度データに例えば１水平ライン分の遅延処理を施すことにより偶数フィールドのタイミングとし、これを切り換えスイッチ４７及び出力端子４９を介して前記記録系側に供給する。
　【００７４】
　同様に制御回路１７は、奇数フィールドの輝度データの形成時には、選択端子３５ｄにより被選択端子３５ｃを選択するように切り換えスイッチ３５を切り換え制御すると共に、選択端子４６ｄにより被選択端子４６ａを選択するように切り換えスイッチ４６を切り換え制御する。これにより、切り換えスイッチ３５を介して０．２５の割合の輝度データが、また、切り換えスイッチ４６を介して０．７５の割合の輝度データがそれぞれ加算器３６に供給される。加算器３６は、両者を加算することにより、通常の２倍のレベルを有する１の割合の奇数フィールドの輝度データを形成する。
　【００７５】
　この１の割合の奇数フィールドの輝度データは、切り換えスイッチ３８を介してビットシフタ４０に供給され、１ビット分シフトダウンされることで通常のレベルの奇数フィールドの輝度データとされ、切り換えスイッチ４１、４７及び出力端子４９を介して前記記録系側に供給される。
　【００７６】
　これにより、各フィールドの輝度データを、０．７５＋０．２５の割合、或いは０．２５＋０．７５の割合で互いに１／４ずつ加算処理することができ、垂直方向の解像度の劣化を防止すると共に、Ｓ／Ｎ比を改善した画像データ（図５中の一点鎖線参照）の記録を可能とすることができる。
　【００７７】
　なお、この「１／４加算モード」においては、偶数フィールドの輝度データの形成時には、前記０．７５の割合の輝度データを選択するように切り換えスイッチ３５を切り換え制御すると共に、０．２５の割合の輝度データを選択するように切り換えスイッチ４６を切り換え制御し、奇数フィールドの輝度データの形成時には、前記０．２５の割合の輝度データを選択するように切り換えスイッチ３５を切り換え制御すると共に、０．７５の割合の輝度データを選択するように切り換えスイッチ４６を切り換え制御することとした。
　【００７８】
　しかし、この切り換え制御は、この他、偶数フィールドの輝度データの形成時には、前記０．２５の割合の輝度データを選択するように切り換えスイッチ３５を切り換え制御すると共に、０．７５の割合の輝度データを選択するように切り換えスイッチ４６を切り換え制御し、奇数フィールドの輝度データの形成時には、前記０．７５の割合の輝度データを選択するように切り換えスイッチ３５を切り換え制御すると共に、０．２５の割合の輝度データを選択するように切り換えスイッチ４６を切り換え制御するようにしてもよい。
　【００７９】
　また、第１回目の偶数フィールドの輝度データの形成時には、０．７５の割合の輝度データを選択するように切り換えスイッチ３５を切り換え制御すると共に、０．２５の割合の輝度データを選択するように切り換えスイッチ４６を切り換え制御し、第２回目の偶数フィールドの輝度データの形成時には、０．２５の割合の輝度データを選択するように切り換えスイッチ３５を切り換え制御すると共に、０．７５の割合の輝度データを選択するように切り換えスイッチ４６を切り換え制御し、第３回目の偶数フィールドの輝度データの形成時には、０．２５の割合の輝度データを選択するように切り換えスイッチ３５を切り換え制御すると共に、０．７５の割合の輝度データを選択するように切り換えスイッチ４６を切り換え制御する等のように、同じ偶数フィールドの輝度データの形成時においても０．２５の輝度データ及び０．７５の輝度データを交互に選択するように切り換えスイッチ３５を切り換え制御するようにしてもよい。切り換えスイッチ４６の切り換え制御も同様である。
　【００８０】
　この場合、切り換えスイッチ４６は、切り換えスイッチ３５が０．７５の割合の輝度データを選択するように切り換え制御された際には、０．２５の割合の輝度データを選択するように切り換え制御され、また、切り換えスイッチ３５が０．２５の割合の輝度データを選択するように切り換え制御された際には、０．７５の割合の輝度データを選択するように切り換え制御される等のように、各切り換えスイッチ３５、４６からの輝度データが加算器３６で加算処理された際に、１の割合の輝度データが形成されるように切り換え制御されることとなる。
　【００８１】
　次に、以上の説明は、フレーム／フィールド変換回路１０のうち、輝度データ用のフレーム／フィールド変換回路の説明であったが、このフレーム／フィールド変換回路１０には、色データ用のフレーム／フィールド変換回路も設けられており、その構成は図７に示すようになっている。
　【００８２】
　なお、この図７からわかるように、この色データ用のフレーム／フィールド変換回路は、輝度データ用のフレーム／フィールド変換回路の入力段に分割回路５２を設けた構成となっている。このため、処理するデータとしては、輝度データと色データとの違いはあるが処理動作的には同じであるため、この色データ用のフレーム／フィールド変換回路の説明において、輝度データ用のフレーム／フィールド変換回路と同じ動作を示す箇所には同じ符号を付し、その詳細な説明を省略することとする。
　【００８３】
　すなわち、この色データ用のフレーム／フィールド変換回路は、前述の輝度データ用のフレーム／フィールド変換回路の構成に加え、色データが供給される入力端子５１と、この入力端子５１を介して供給された色データを２チャンネルの色データに分割する分割回路５２を有している。
　【００８４】
　このような色データ用のフレーム／フィールド変換回路は、入力端子５１を介して色データが供給されると、これを分割回路５２が色データを第１チャンネルの色データ及び第２チャンネルの色データに分割して出力する。
　【００８５】
　そして、「非加算モード」、「１／２加算モード」、「１／４加算モード」の際に、前述の輝度データ用のフレーム／フィールド変換回路と同様に各切り換えスイッチ３５、３７、３８、４１、４３、４７がそれぞれ切り換え制御され、各モードに応じた色データが出力される。
　【００８６】
　すなわち、「非加算モード」において、偶数フィールドの際には、分割回路５２からの第１チャンネルの色データが、切り換えスイッチ３７、３８を介してリミッタ３９に供給され所定のビット数とされた後、切り換えスイッチ４１を介して遅延回路４８に供給される。そして、この遅延回路４８により例えば１水平ライン分の遅延処理が施され、切り換えスイッチ４７及び出力端子４９を介して前記記録系側に供給される。
　【００８７】
　また、この「非加算モード」における奇数フィールドの際には、分割回路５２からの第２チャンネルの色データが、切り換えスイッチ４３、３７、３８を介してリミッタ３９に供給され、このリミッタ３９により所定のビット数とされた後、切り換えスイッチ４１を介して遅延回路４８に供給される。そして、この遅延回路４８により例えば１水平ライン分の遅延処理が施され、切り換えスイッチ４７及び出力端子４９を介して前記記録系側に供給される。
　【００８８】
　これにより、切り換えスイッチ３７により各フィールド毎に切り換え制御されたそのままの色データ（非加算の色データ）が記録系側に供給されることとなる。
　【００８９】
　「１／２加算モード」における偶数フィールドの際には、第１チャンネルの色データが切り換えスイッチ３５を介して加算器３６に供給され、第２チャンネルの色データが切り換えスイッチ４３、４６を介して加算器３６に供給される。そして、加算器３６により各色データが加算処理され、切り換えスイッチ３８を介してビットシフタ４０に供給され、ビットシフタ４０により通常のレベルとされた後、切り換えスイッチ４１を介して遅延回路４８に供給され、遅延回路４８で偶数フィールドのタイミングとされ、切り換えスイッチ４７及び出力端子４９を介して前記記録系側に供給される。
　【００９０】
　また、「１／２加算モード」における奇数フィールドの際には、第１チャンネルの色データが切り換えスイッチ３５を介して加算器３６に供給され、第２チャンネルの色データが遅延回路４２により第１チャンネルの色データとタイミングが合わされ、切り換えスイッチ４３、４６を介して加算器３６に供給される。そして、加算器３６により各色データが加算処理され、切り換えスイッチ３８を介してビットシフタ４０に供給され、ビットシフタ４０により通常のレベルとされた後、切り換えスイッチ４１、４７及び出力端子４９を介して前記記録系側に供給される。
　【００９１】
　この「１／２加算モード」においては、各チャンネルの色データが、加算器３６により１／２（０．５）の割合で互いに加算処理されるため、色データのＳ／Ｎ比の向上を図ることができる。
　【００９２】
　「１／４加算モード」における偶数フィールドの際には、第１チャンネルの色データがビットシフタ３３及び加算器３４により０．７５の割合の色データとされ加算器３６に供給され、第２チャンネルの色データがビットシフタ４４により０．２５の割合の色データとされ加算器３６に供給される。そして、両者が加算器３６において加算処理され、切り換えスイッチ３８を介してビットシフタ４０に供給され、ビットシフタ４０により通常のレベルとされ、切り換えスイッチ４１を介して遅延回路４８に供給され、遅延回路４８により偶数フィールドのタイミングとされ切り換えスイッチ４７及び出力端子４９を介して前記記録系側に供給される。
　【００９３】
　また、この「１／４加算モード」における奇数フィールドの際には、第１チャンネルの色データがビットシフタ３３により０．２５の割合の色データとされ加算器３６に供給され、第２チャンネルの色データが遅延回路４２により第１チャンネルの色データと同じタイミングとされ、ビットシフタ４４及び加算器４５により０．７５の割合の色データとされ加算器３６に供給される。そして、加算器３６において両者が加算処理され、切り換えスイッチ３８を介してビットシフタ４０に供給され、ビットシフタ４０により通常のレベルとされ、切り換えスイッチ４１、４７及び出力端子４９を介して前記記録系側に供給される。
　【００９４】
　この「１／４加算モード」においては、各フィールドの色データを、０．７５＋０．２５の割合、或いは０．２５＋０．７５の割合で互いに１／４ずつ加算処理することができ、垂直方向の解像度の劣化を防止すると共に、Ｓ／Ｎ比を改善した画像データの記録を可能とすることができる。
　【００９５】
　なお、この「１／４加算モード」においては、偶数フィールドの色データの形成時には、前記０．７５の割合の色データを選択するように切り換えスイッチ３５を切り換え制御すると共に、０．２５の割合の色データを選択するように切り換えスイッチ４６を切り換え制御し、奇数フィールドの色データの形成時には、前記０．２５の割合の色データを選択するように切り換えスイッチ３５を切り換え制御すると共に、０．７５の割合の色データを選択するように切り換えスイッチ４６を切り換え制御することとした。
　【００９６】
　しかし、この切り換え制御は、この他、偶数フィールドの色データの形成時には、前記０．２５の割合の色データを選択するように切り換えスイッチ３５を切り換え制御すると共に、０．７５の割合の色データを選択するように切り換えスイッチ４６を切り換え制御し、奇数フィールドの色データの形成時には、前記０．７５の割合の色データを選択するように切り換えスイッチ３５を切り換え制御すると共に、０．２５の割合の色データを選択するように切り換えスイッチ４６を切り換え制御するようにしてもよい。
　【００９７】
　また、第１回目の偶数フィールドの色データの形成時には、０．７５の割合の色データを選択するように切り換えスイッチ３５を切り換え制御すると共に、０．２５の割合の色データを選択するように切り換えスイッチ４６を切り換え制御し、第２回目の偶数フィールドの色データの形成時には、０．２５の割合の色データを選択するように切り換えスイッチ３５を切り換え制御すると共に、０．７５の割合の色データを選択するように切り換えスイッチ４６を切り換え制御し、第３回目の偶数フィールドの色データの形成時には、０．２５の割合の色データを選択するように切り換えスイッチ３５を切り換え制御すると共に、０．７５の割合の色データを選択するように切り換えスイッチ４６を切り換え制御する等のように、同じ偶数フィールドの色データの形成時においても０．２５の色データ及び０．７５の色データを交互に選択するように切り換えスイッチ３５を切り換え制御するようにしてもよい。切り換えスイッチ４６の切り換え制御も同様である。
　【００９８】
　この場合、切り換えスイッチ４６は、切り換えスイッチ３５が０．７５の割合の色データを選択するように切り換え制御された際には、０．２５の割合の色データを選択するように切り換え制御され、また、切り換えスイッチ３５が０．２５の割合の色データを選択するように切り換え制御された際には、０．７５の割合の色データを選択するように切り換え制御される等のように、各切り換えスイッチ３５、４６からの色データが加算器３６で加算処理された際に、１の割合の色データが形成されるように切り換え制御されることとなる。
　【００９９】
　このように、当該デジタルビデオカメラ装置は、例えばユーザの選択により、撮像モード検出回路１３により検出された撮像モードに応じて、或いは飽和検出回路１５により検出された各フィールドの撮像データの飽和レベルに応じて輝度データ及び色データの各出力モードをそれぞれ選択することができる。これにより、ユーザが所望する画像の表示を可能とする出力モードの選択を可能とすることができる。
　【０１００】
　なお、前述の説明では各輝度データ或いは各色データを、０．２５＋０．７５の割合で加算処理することとしたが、これは、０．３０＋０．７０の割合で加算処理し、或いは０．４０＋０．６０の割合で加算処理する等のように他の割合でそれぞれ加算処理するようにしてもよい。ただ、０．２５＋０．７５の割合で加算処理することとした場合、０．５の割合と見なすこととした通常の輝度データ等を、ビットシフタ３３、４４により１ビットシフトダウンするだけで０．２５の割合の輝度データ等を形成することができ、この０．２５の割合の輝度データ等と０．５の割合の輝度データ等とを加算器３４、４５で加算処理することで０．７５の割合で輝度データ等を形成することができる。このため、ビットシフタと加算器という、簡単な回路により所定の割合で加算処理された輝度データ等を形成することができ、フレーム／フィールド変換回路１０の構成の簡略化及びローコスト化を図ることができる。
　【０１０１】
　最後に、上述の実施の形態の説明では、本発明に係る輪郭補償システムをデジタルビデオカメラ装置に設けることとしたが、これは本発明の一実施形態にすぎない。本発明は、この他、例えば記録系を持たないカメラ装置やコンピュータ装置の画像処理系等のように電気的に画像情報の取り扱いを行う装置であればどのような装置でも適用可能である。さらに、電気的な画像情報としては、デジタル的に取り扱う装置のみならず、アナログ的に取り扱う装置であってもよい。そして、以上説明した実施の形態以外であっても、本発明に係る技術的思想を逸脱しない範囲であれば、設計等に応じて種々の変更が可能であることは勿論である。
　【０１０２】
　本発明に係る輪郭補償システムによれば、
電子ズームにおけるズーム倍率検出により検出されたズーム倍率が高くなるに応じて輪郭補償のための輪郭補償周波数の中域を強調すると共に、中域に対して高域の輪郭補償処理を抑制するようにしているため、
撮像倍率が変化してもそれに応じた
する
【図面の簡単な説明】
　【図１】本発明に係る輪郭補償システムを適用した実施の形態のデジタルビデオカメラ装置の撮像系のブロック図である。
　【図２】前記実施の形態のデジタルビデオカメラ装置の撮像系に設けられている輪郭補償回路のブロック図である。
　【図３】前記輪郭補償回路が画像データの周波数帯域に対して輪郭補償処理を施す際に用いられる輪郭補償係数を説明するための周波数特性図である。
　【図４】前記輪郭補償回路が画像データの周波数帯域に対して輪郭補償処理を施す際に用いられる輪郭補償係数のうち、高解像度モードの際に用いられる輪郭補償係数を説明するための周波数特性図である。
　【図５】前記実施の形態のデジタルビデオカメラ装置の撮像系に設けられているフレーム／フィールド変換回路の出力特性を説明するための図である。
　【図６】輝度データ用の前記フレーム／フィールド変換回路のブロック図である。
　【図７】色データ用の前記フレーム／フィールド変換回路のブロック図である。
　【符号の説明】
　１…撮像部
　２…自動利得制御回路（ＡＧＣ）
　５…ガンマ補正回路
　３…アナログ／デジタル変換器
　４…ローパスフィルタ（ＬＰＦ）
　６…輪郭補償回路
　７…加算器
　８…メモリ
　９…電子ズーム回路
　１０…フレーム／フィールド変換回路
　１２…ズーム倍率検出回路
　１３…撮像モード検出回路
　１４…補償周波数帯域選択回路
　１５…飽和検出回路
　１６…変換特性選択回路